(57)【要約】【課題】断熱効果を高めるとともに、輸送時の材積とコストを有効に下げることができる断熱材を提供する。【解決手段】平面の一個の板体２１において一個の固定される間隔を隔てて縦方向でかつ上下と左右に全て間隔状になるように複数個の切断線２２が裁断され、上記切断線２２は上下と左右に間隔を有するように設置され、上記切断線２２の左右の間隔は上下の間隔より大きくなるように形成されることにより、上記左右の間隔の切断線２２によって上記板体２１において長条状の複数個の断熱条２３が形成され、上記切断線２２の上下の間隔は上記板体２１において複数個の引張リブ２４が形成され、上記板体２１の両端には切断線２２のない接合部２５が形成される。【選択図】図１
2014218306.tif 000002
【特許請求の範囲】
【請求項１】
平面の一個の板体（２１）に一個の固定された間隔を隔てて縦方向でかつ上下と左右に全て間隔を置いて複数個の切断線（２２）が裁断され、切断線（２２）は上下と左右に間隔を有するように設置され、切断線（２２）の左右の間隔は上下の間隔より大きくなるように形成されることにより、左右の間隔の切断線（２２）によって板体（２１）に長条状の複数個の断熱条（２３）が形成され、切断線（２２）の上下の間隔部分には板体（２１）において複数個の引張リブ（２４）が形成され、板体（２１）の両端には切断線（２２）のない接合部（２５）が形成されることを特徴とする断熱材。
【請求項２】
上記断熱条（２３）の上下の両端縁には丸まった角部（２３１）が形成されることを特徴とする請求項１に記載の断熱材。
【請求項３】
上記断熱条（２３）の少なくとも一部分は二個毎の断熱条（２３）の上端部をもって互いに連接し、互いに連接する二個の断熱条（２３）の両側には切断線（２２）が隔てられて隣接する二個の断熱条（２３）から分離して形成されることを特徴とする請求項１または２に記載の断熱材。
【請求項４】
上記断熱材（２）の接合部（２５）には係止構造（２６）が設けられることを特徴とする請求項１に記載の断熱材。
【請求項５】
上記係止構造（２６）には係止孔（２６１）と係止部材（２６２）が含まれることを特徴とする請求項４に記載の断熱材。
【請求項６】
上記断熱材（２）の接合部（２５）には粘着剤が塗布されることを特徴とする請求項１または４に記載の断熱材。
【請求項７】
上記断熱材（２）は接合部（２５）が対応する側にさらに間隔部（２７）が設置されることを特徴とする請求項６に記載の断熱材。
【請求項８】
上記断熱材（２）は設置された切断線（２２）、断熱条（２３）および引張リブ（２４）によって断熱エリア（Ｃ）を形成することを特徴とする請求項１〜７のいずれかに記載の断熱材。
【請求項９】
上記断熱材（２）は設置された切断線（２２）、断熱条（２３）および引張リブ（２４）によって放熱孔（３）を形成し、放熱孔（３）は断熱エリア（Ｃ）内に位置することを特徴とする請求項８に記載の断熱材。
【請求項１０】
上記放熱孔（３）は菱形に形成されることを特徴とする請求項９に記載の断熱材。
【発明の詳細な説明】
【技術分野】
【０００１】
本発明は、断熱材に関するもので、特に、良好な断熱効果を有し、材料の使用を減らすことによって環境保全に有効であるとともに、輸送と貯蔵のコストを大幅に下げることができる断熱材の構造に係るものである。
【背景技術】
【０００２】
商工業の急速な発展に伴い、激しい市場において業者が一定の位置を占めるためには、消費者に対し迅速かつ満足な商品またはサービスを提供しなければならない。殊に外食産業においては、一定の温度で食用する各種の熱い飲食物、例えばコーヒー、お茶、弁当などがあるため、それぞれの販路において断熱材は極めて重視される市場となっている。
【０００３】
このような熱い飲食物は消費者が持ち易くするべく、一般的に、熱い飲食物を入れた包装材の外部に一個の断熱材を付け加えており、例えば、中華民国公告第Ｍ４６５３６０号（特許文献１）の「紙材容器の構造」において掲示されたものでは、断熱材を紙材料の容器の外周面に環状に嵌め込んで使用することにより、熱い飲食物によって消費者の手が火傷するのを避けると同時に、消費者が直接熱い飲食物を持ち易くするのを役立つことができる。
【０００４】
図８、９は従来の断熱材の例を示す図で、この断熱材１は主に一個の波状の断熱層１１と一個の表面層１２から構成されており、断熱層１１は粘着剤によって表面層１２と粘着される。断熱材１は主に熱い飲食物の包装材の外表面に嵌め込んで使用されるもので、図示のものではコーヒーカップＡを例としている。断熱層１１は上記カップＡの外表面に直接貼り付けられる。断熱層１１が波状に形成されているため、断熱層１１はカップＡと間隔を有して接触するように形成されることにより、カップＡ内の熱いコーヒーの高温が断熱材１１に大量かつ直接に伝送するのを減らすことができ、断熱材１はそれによって断熱効果を有するようになる。カップＡの外表面に断熱材１が嵌め込まれた後、消費者は直接断熱材１を持つことにより、カップＡ内の熱いコーヒーの高温によって火傷することなく、消費者が便利に熱いコーヒーを持って飲用することができる。
【先行技術文献】
【特許文献】
【０００５】
【特許文献１】中華民国公告第Ｍ４６５３６０号公報
【発明の概要】
【発明が解決しようとする課題】
【０００６】
上述した中華民国公告第Ｍ４６５３６０号公報に記載の断熱材１においては、上述した構造によって一部分の熱い飲食物の高温を隔離するという効果を達成することができるが、この従来の断熱材１が生じる主な断熱効果は、断熱層１１と熱い飲食物の包装材に形成される間隔による接触で接触面積を減らすことにより、断熱の目的を達成するものである。しかし、断熱材１の断熱層１１は波状に形成されることにより、断熱層１１と熱い飲食物の包装材は実際に長条状で接触するものであり、断熱材１と熱い飲食物の包装材との接触面積は依然として多過ぎ、そのため、断熱材１が実際に達成できる断熱効果は非常に限られ、さらに進んで言えば、従来の断熱材１の断熱効果をさらに改善しなければならないという問題点があった。
【０００７】
また、図９に示されるように、従来の断熱材１は使用するまでの保存状態において、折り畳まれた状態に置かれる。この断熱材１はその断熱効果が喪失するのを避けるべく、保存状態または輸送状態であっても断熱層１１の波状を破壊してはならないため、断熱材１を輸送する時に極めて大きな運送の材積を占めることになる。さらに詳しく言えば、従来の断熱材１はその輸送における容積が膨大となり、輸送コストの高騰を要因となり、業者にとって断熱材１を使用する場合のコストが高くなり、競争力がなくなるという問題点があった。
【０００８】
このように、コストが低く、かつ良好な断熱効果を有する断熱材を提供することは、断熱材の業者にとっては克服しなければならない問題点となっている。
【０００９】
本発明はこのような問題点に鑑みて発明されたものであって、その主な目的は、従来の断熱材における断熱効果が悪く、コストが高過ぎるという問題点を克服することができる断熱材を提供することにある。
【課題を解決するための手段】
【００１０】
上記課題を達成するために、本発明による断熱材は、平面の一個の板体において一個の固定された間隔を隔てて縦方向でかつ上下と左右に全て間隔を置いて複数個の切断線が裁断される。上記切断線は上下と左右に間隔を有するように設けられ、上記切断線の左右の間隔は上下の間隔より大きくなるように形成され、これにより、上記左右の間隔の切断線によって上記板体において長条状の複数個の断熱条が形成される。上記切断線の上下の間隔は上記板体において複数個の引張リブが形成され、上記板体の両端には切断線のない接合部が形成される。
【００１１】
また、本発明による断熱材は、上記断熱条の上下の両端縁に丸まった角部を形成することもできる。また、上記断熱条の少なくとも一部分は二個毎の断熱条の上端部をもって互いに連接し、互いに連接する二個の断熱条の両側に切断線が隔てられて隣接する二個の断熱条とは分離状に形成することもできる。また、上記断熱材の接合部には係止構造を設けることもできる。また、上記係止構造には係止孔と係止部材が含まれることもできる。また、上記断熱材の接合部に粘着剤を塗布することもできる。また、上記断熱材は上記接合部が対応する側に間隔部をさらに設置することもできる。また、上記断熱材は設置される切断線、断熱条および引張リブによって断熱エリアを形成することもできる。また、上記断熱材は設置される切断線、断熱条および引張リブによって放熱孔を形成し、上記放熱孔は上記断熱エリア内に位置することもできる。また、上記放熱孔は菱形に形成することもできる。
【発明の効果】
【００１２】
本発明の断熱材によれば、上記断熱材が開くように広められた後、上記断熱材は上記引張リブの作用により、元々は平面状に形成された断熱条が偏って回転し、斜めの方向へ立ち上がって波状に形成される。上記断熱条が立ち上がって波状に形成された後、上記断熱条と引張リブによって略菱形の放熱孔が形成され、上記断熱条と上記熱い飲食物の包装材の表面は点接触となるように形成される。即ち、上記断熱材は上記切断線、断熱条と引張リブによって断熱エリアが形成されるため、上記断熱材は良好な断熱効果を有して断熱材の使用上の効果をさらに高めることができる。さらに、上記引張リブが有する物理的な慣性によって被覆と収縮の効果を生じることができるため、上記断熱材は熱い飲食物の包装材に緊密に貼り付けられて脱落することがない。
【００１３】
また、本発明の断熱材によれば、上記断熱材が平面状の板体に形成されることにより、その折り畳まれた状態の高さは極めて限られるため、上記断熱材を輸送する時の容積とコストを有効に下げることができる。
【図面の簡単な説明】
【００１４】
【図１】本発明の実施例による断熱材の展開状態の説明図である。
【図２】本発明の実施例による断熱材の使用状態の説明図である。
【図３】本発明の実施例による断熱材のもう一つの使用状態の説明図である。
【図４】本発明の実施例による断熱材のまたもう一つの使用状態の説明図である。
【図５】本発明のもう一つの実施例による断熱材の説明図である。
【図６】本発明のもう一つの実施例による断熱材の接合部の説明図である。
【図７】本発明のもう一つの実施例による断熱材の説明図である。
【図８】従来の断熱材の説明図である。
【図９】従来の断熱材の折り畳まれた状態の説明図である。
【発明を実施するための形態】
【００１５】
本発明の実施の形態について、以下、図面を参照して説明する。
【００１６】
図１は本発明の実施例による断熱材の展開状態の説明図である。図１を参照すると、本発明の断熱材２は主に紙またはその他の少し靱性を有する材質により製造される。断熱材２は主に一個の板体２１において一個の固定された間隔を隔てて縦方向でかつ上下と左右に全て間隔を置いて複数個の切断線２２が裁断される。切断線２２は上下と左右に間隔を有するように設置され、かつ左右の間隔は上下の間隔より大きくなるように形成され、これにより、左右の間隔の切断線２２によって上記板体２１において長条状の複数個の断熱条２３が形成される。断熱条２３の上下の両端縁には丸まった角部２３１が形成される。
【００１７】
断熱条２３の少なくとも一部分は二個毎の断熱条２３の上端部をもって互いに連接し、そして互いに連接する二個の断熱条２３の両側には切断線２２が設けられ、隣接する断熱条２３と分離した形状に形成される。上下の間隔の切断線２２は板体２１において複数個の引張リブ２４が形成され、他に板体２１の両端には切断線２２のない接合部２５が形成される。断熱材２は切断線２２、断熱条２３および引張リブ２４によって断熱エリアＣが形成される。
【００１８】
図１に示されるように、本発明の断熱材２が未だ使用されていない時には折り畳まれた状態に形成され、他に本発明の断熱材２は主に平面の板体２１により形成されることにより、断熱材２が折り畳まれた状態ではその高さが極めて限られるため、断熱材２を輸送する時の材積とコストを有効に下げることができる。
【００１９】
図２は本発明の実施例による断熱材の使用状態の説明図である。本発明の断熱材２を使用しようとする時、先ず接合部２５に粘着剤を塗布し、接合部２５を互いに合わせて粘着することにより、本発明の断熱材２を円筒状に形成させる。他に、図２に示すように、本発明の断熱材２を使用しようとする時、上記の既に円筒状に形成された断熱材２を熱い飲食物を装填した包装材（図ではカップＡ１を例とする）の下方から直接カップＡ１に嵌め込み、そしてカップＡ１の適当な場所に位置される。
【００２０】
他に、断熱材２を円筒状に粘着する時、断熱材２の内径をカップＡ１の最小外径より少し小さく形成することにより、断熱材２を上記カップＡ１の下方から上へ向かってカップＡ１に嵌め込むと同時に、断熱材２は直ちにカップＡ１によって外方へ開くように広められることにより、断熱材２は引張リブ２４が有する物理的な慣性によって被覆と収縮の効果を生じるため、断熱材２はカップＡ１に緊密に貼り付けられて脱落することがない。
【００２１】
これにより、元々は平面状に形成されていた断熱条２３は偏って回転し、斜めの方向へ立ち上がって波状に形成される。断熱条２３が立ち上がった波状に形成された後、断熱条２３と引張リブ２４によって略菱形の放熱孔３が形成される。この時、断熱条２３とカップＡ１の表面の間は点接触の状態となる。
【００２２】
図２に示すように、本発明の断熱材２は波状の断熱条２３とカップＡ１の表面とが点接触の状態に形成されることにより、カップＡ１に充填された熱い飲食物の高温が断熱材２まで伝達されるのを有効に減らすことができると同時に、断熱条２３と引張リブ２４によって形成される放熱孔３により、カップＡ１との接触面積を減らすことができ、断熱材２まで伝達される熱い飲食物からの高温の量を減らすことができる。加えて、断熱条２３と引張リブ２４によって形成される放熱孔３の放熱効果により、断熱材２の断熱効果をより一層高めることができる。
【００２３】
図３は本発明の断熱材のもう一つの使用状態の説明図で、図４は本発明の断熱材のまたもう一つの使用状態の説明図である。図３、４を参照すると、本発明の断熱材２を熱い食べ物が入っている弁当箱Ａ２に使用する時、一般的に弁当箱Ａ２は直方体に形成されているため、本発明の断熱材２は予め弁当箱Ａ２の長辺側（この部位は弁当箱Ａ２の短い軸方向側端である）に嵌め込まれる。そして断熱材２は未だ開くように広めていない平面の状態に形成されているため、断熱材２の表面にメイカーの宣伝用のロゴや文字を印刷して弁当の販売に用いることができる。
【００２４】
消費者が上記弁当を選んだ後、消費者は断熱材２を弁当箱Ａ２から取り外し、弁当箱Ａ２を加熱装置（例えば電子レンジなど）に入れて加熱を行ない、それから断熱材２を弁当箱Ａ２の短辺側（この部位は上記弁当箱Ａ２の長い軸方向側端）から嵌め込み、弁当箱Ａ２の長い軸を利用して断熱材２を開くように広めることにより、断熱材２の断熱条２３が波状に形成されると同時に、断熱条２３と引張リブ２４によって形成される放熱孔３により、断熱条２３と上記弁当箱Ａ２の表面は点接触の状態となるため、断熱効果を確実に得ることができ、消費者は熱さを感じることになく手で断熱材２を持って弁当箱Ａ２を持ち上げることができる。
【００２５】
図５は本発明の断熱材のもう一つの実施例の説明図である。図５を参照すると、本発明の断熱材２を実施する時、断熱材２は複数個の断熱材２を連続的に接続された形態で実施するもので、単位毎の断熱材２に予め切取り線２ａが設けられ、断熱材２をロール状に巻き取ることにより、断熱材２の輸送や貯蔵を簡単にすることができる。そして使用者はロール状に巻き取られた断熱材２を切取り線２ａに沿って破くことにより、一単位の断熱材２を取得し、さらに断熱材２の接合部２５において粘着剤を塗布することにより、直ちに断熱材２を使用することができる。
【００２６】
図６は本発明の断熱材における接合部のもう一つの実施例の説明図である。図６を参照すると、本発明の断熱材を実施する時、断熱材２の接合部２５に予め係止構造２６を直接裁断しておくことにより、消費者が断熱材２をさらに便利に使用できるようにしたものである。係止構造２６には係止孔２６１と係止部材２６２が含まれ、係止部材２６２は係止孔２６１内に貫穿して係止により連結を形成することができるため、断熱材２の接合部２５は粘着剤を使用して貼接することなく、係止構造２６の係止孔２６１と係止部材２６２を利用して係止して連結することができる。
【００２７】
図７は本発明の断熱材のまたもう一つの実施例の説明図である。図７を参照すると、本発明の断熱材を実施する時、断熱材２の両端に接合部２５を設置する外に、接合部２５が対応する側に平面の間隔部２７を設置することができる。即ち、断熱材２は間隔部２７と接合部２５の間にだけ、切断線２２、断熱条２３および引張リブ２４が設置されることにより、断熱材２の剛性強度をさらに増やすと同時に、断熱エリアＣをより簡単に形成することができる。
【００２８】
本発明の断熱材によれば、本発明の断熱材２は主に一個の板体２１において一個の固定される間隔を隔てて縦方向でかつ上下と左右に全て間隔を置いて複数個の切断線２２が裁断され、切断線２２は上下と左右に間隔を置いて設置され、かつ左右の間隔は上下の間隔より大きくなるように形成されることにより、左右の間隔の切断線２２によって板体２１に長条状の複数個の断熱条２３が形成され、そして上下の間隔の切断線２２は板体２１において複数個の引張リブ２４が形成され、他に板体２１の両端に切断線２２のない接合部２５が形成される。
【００２９】
断熱材２を開くように広めた後、断熱材２は引張リブ２４の作用により、元々の平面状に形成された断熱条２３は偏って回転し、斜めの方向へ立ち上がって波状に形成される。断熱条２３が立ち上がって波状に形成された後、断熱条２３と引張リブ２４によって略菱形の放熱孔３が形成され、断熱条２３と熱い飲食物の包装材の表面の間は点接触の状態に形成されると共に、断熱材２は切断線２２、断熱条２３および引張リブ２４によって断熱エリアＣが形成されるため、断熱材２は良好な断熱効果を有して断熱材２の使用上の効果をさらに高めることができる。他に、断熱材２は平面の板体２１によって形成されることにより、その折り畳まれた状態の高さは極めて限られるため、断熱材２を輸送する時の容積とコストを有効に低減することができる。
【００３０】
本発明は、その精神と必須の特徴事項から逸脱することなく他のやり方で実施することもできる。従って、本明細書に記載した好ましい実施形態は例示的なものであり、本発明の範囲を限定するものではない。
【符号の説明】
【００３１】
１    断熱材
１１    断熱層
１２    表面層
２    断熱材
２ａ    切取り線
２１    板体
２２    切断線
２３    断熱条
２３１    丸まった角部
２４    引張リブ
２５    接合部
２６    係止構造
２６１    係止孔
２６２    係止部材
２７    間隔部
３    放熱孔
Ａ    カップ
Ａ１    カップ
Ａ２    弁当箱
Ｃ    断熱エリア
【図１】
2014218306.tif 000003
【図２】
2014218306.tif 000004
【図３】
2014218306.tif 000005
【図４】
2014218306.tif 000006
【図５】
2014218306.tif 000007
【図６】
2014218306.tif 000008
【図７】
2014218306.tif 000009
【図８】
2014218306.tif 000010
【図９】
2014218306.tif 000011